(57)【要約】【課題】スイングアーム方式で前輪を支持する車輌において、車輌の前後方向の寸法をコンパクトに維持しつつ、サスペンション機構のダンパーの応答性を向上させる。【解決手段】前車軸(6)を支持すると共に前車軸支持部分から後方に延びる上下方向揺動可能なフロントアーム(10)と、フロントアーム(10)の上下方向の揺動を弾性的に抑制するサスペンション機構(12)と、を備えており、サスペンション機構(12)は、車体フレーム(F)のヘッドパイプ(1)とフロントアーム(10)との上下方向間に左右方向に沿って配置されたダンパー部材(33)と、フロントアーム(10)の上下方向の揺動を、ダンパー部材(33)の左右方向の伸縮に変換するように、フロントアーム(10)とダンパー部材(33)とを連結するベルクランク部材(32)と、を備えている。【選択図】図２
2014117977.tif 000002
【特許請求の範囲】
【請求項１】
前車軸を支持すると共に前車軸支持部分から後方に延びる上下方向揺動可能なフロントアームと、前記フロントアームの上下方向の揺動を弾性的に抑制するサスペンション機構と、を備えている車輌の前輪支持構造において、
前記サスペンション機構は、ハンドルを角変位可能に支持するヘッドパイプと前記フロントアームとの上下方向間に左右方向に沿って配置されたダンパー部材と、前記フロントアームの上下方向の揺動を、前記ダンパー部材の左右方向の伸縮に変換するように、前記フロントアームと前記ダンパー部材とを連結する連結部材と、
を備えている車輌の前輪支持構造。
【請求項２】
前記ダンパー部材は、前記前輪及び前記ヘッドパイプよりも後方に配置されている、請求項１に記載の車輌の前輪支持構造。
【請求項３】
前記フロントアームの後端部を車体構成部材に支持するリンク機構を備え、
前記連結部材は、前記フロントアームに連結されている、請求項１又は２に記載の車輌の前輪支持構造。
【請求項４】
前記フロントアーム及び前記連結部材は、それぞれ左右一対配置され、
左右の前記連結部材は、前記ダンパー部材の左右の端部にそれぞれ連結されている、請求項１乃至３のいずれか一つに記載の車輌の前輪支持構造。
【請求項５】
前記連結部材は、ベルクランク部材であり、該ベルクランク部材の入力端部は前記ダンパー部材の車幅方向両端よりも車幅方向外方に位置している、請求項１乃至４のいずれか一つに記載の車輌の前輪支持構造。
【発明の詳細な説明】
【技術分野】
【０００１】
本発明は、フロントアームにより、スイングアーム方式で前輪を支持し、前輪の揺動を抑制するサスペンション機構を有する車輌の前輪支持構造に関する。
【背景技術】
【０００２】
特許文献１には、スイングアーム方式の従来例が記載されており、前輪を支持するフロントアームは、車体フレームの前下端部に上下方向揺動自在に支持されており、前輪用のサスペンション機構のダンパー部材（クッションユニット）は、車幅方向に沿って配置されている。ダンパー部材の配置位置は、フロントアームの下側である。
【先行技術文献】
【特許文献】
【０００３】
【特許文献１】特許第４８３３９０１号公報
【発明の概要】
【発明が解決しようとする課題】
【０００４】
前記従来構造では、フロントアームの下側に、車幅方向に沿ってダンパー部材を配置していることから、路面からの地上高が低くなると共に、バンク角を大きく採ることができない。また、ダンパー部材からアーム支持部分までの距離が長く、構造が複雑になる。
【０００５】
本発明の目的は、スイングアーム方式の車輌の前輪支持構造において、フロントアームからダンパー部材までの距離を短くして、ダンパー部材の応答性を向上させ、かつ、バンク角を大きく採ることができる、車輌の前輪支持構造を提供することである。
【課題を解決するための手段】
【０００６】
前記課題を解決するため、本発明は、前車軸を支持すると共に前車軸支持部分から後方に延びる上下方向揺動可能なフロントアームと、前記フロントアームの上下方向の揺動を弾性的に抑制するサスペンション機構と、を備えている車輌の前輪支持構造において、
前記サスペンション機構は、ハンドルを角変位可能に支持するヘッドパイプと前記フロントアームとの上下方向間に左右方向に沿って配置されたダンパー部材と、前記フロントアームの上下方向の揺動を、前記ダンパー部材の左右方向の伸縮に変換するように、前記フロントアームと前記ダンパー部材とを連結する連結部材と、を備えている。
【０００７】
上記発明によると、スイングアーム方式のフロントアームを備えた車輌の前輪支持構造において、車輌の前後方向の寸法をコンパクトに保ちつつ、ダンパー部材とフロントアームとの距離を短く保つことができ、前輪の上下方向の移動に対するダンパー部材の応答性を向上させることができる。
【０００８】
また、走行中に飛ばされる小石などがダンパー部材に当たり難くなり、さらに、車輌の重心が必要以上に低くならず、大きなバンク角を確保することもできる。
【０００９】
本発明は、上記車輌の前輪支持構造に加え、次の構成を備えることができる。
【００１０】
（ａ）前記ダンパー部材は、前記前輪及び前記ヘッドパイプよりも後方に配置されている  
【００１１】
上記構成によると、ダンパー部材とフロントアームとの距離をさらに短く保ち、ダンパー部材の応答性をさらに向上させることができる。
【００１２】
（ｂ）前記フロントアームを車体構成部材に支持するリンク機構を備え、前記連結部材は、前記フロントアームに連結されている。
【００１３】
上記構成によると、ブレーキング時において、リンク部材にかかる荷重が軽減されるので、リンク部材を細くでき、軽量化を達成できる。
【００１４】
（ｃ）前記フロントアーム及び前記連結部材は、それぞれ左右一対配置され、左右の前記連結部材は、前記ダンパー部材の左右の端部にそれぞれ連結されている。
【００１５】
上記構成によると、フロントアームの左右を略均等に支持できると共に、フロントアームの剛性が向上し、ねじれを防止できる。
【００１６】
（ｄ）前記連結部材は、ベルクランク部材であり、該ベルクランク部材の入力端部は前記ダンパー部材の車幅方向両端よりも車幅方向外方に位置している。
【００１７】
上記構成によると、フロントアームからダンパー部材までの距離を短くできる一方、ベルクランク部材は、他の部材に干渉することなく、作動することができ、フロントアームの揺動ストロークを確保し易くなる。
【発明の効果】
【００１８】
要するに本発明によると、車輌の前後方向の寸法のコンパクト化を達成しつつ、フロントアームからダンパー部材までの距離を短くし、ダンパー部材の応答性を向上させることができ、かつ、バンク角を大きく採ることができるのである。
【図面の簡単な説明】
【００１９】
【図１】本発明に係る自動二輪車の平面図である。
【図２】図１の自動二輪車の左側面図である。
【図３】図１の自動二輪車の前面図である。
【図４】図１の自動二輪車を前上方から見た斜視図である。
【図５】上側リンク部材の平面拡大図である。
【図６】下側リンク部材の平面拡大図である。
【発明を実施するための形態】
【００２０】
図１乃至図６は、本発明を適用した自動二輪車であり、これらの図面に基づいて本発明の一実施の形態を説明する。自動二輪車の左側面図を示す図２において、車体フレームＦは、ハンドル側の操舵軸８を支持するヘッドパイプ（ヘッドボックス）１と、左右一対のメインフレーム部材２と、左右一対のダウンチューブ３と、を備えている。ヘッドパイプ１は、操舵軸８を介して、ハンドルを左右の角変位可能に支持している。メインフレーム部材２は、垂直断面が矩形状の剛性部材であり、アルミ鋳造等によりヘッドパイプ１と一体に成形されている。メインフレーム部材２は、ヘッドパイプ１から後下方に直線状に延びており、後端部には、下方に延びるスイングアームブラケット２ａが一体に形成されている。メインフレーム部材２の前端部の下面には、側方から見て逆三角形状のマウント部２ｂが下方突出状に形成されている。ダウンチューブ３は、マウント部２ｂの下端部に連結されると共に略下方に延び、下端部において後方に湾曲しており、ダウンチューブ３の後端部がスイングアームブラケット２ａの下端部に結合されている。メインフレーム部材２とダウンチューブ３とで囲まれた空間に、走行駆動源となるパワーユニットとして、内燃機関（エンジン）Ｅが搭載され、車体フレームＦに支持されている。前記内燃機関Ｅの代わりに、電動モータを搭載することもできる。また、ヘッドパイプ１の前方には、エンジン冷却液用のラジエータ９が取り付けられている。
【００２１】
前輪５を支持する前輪支持機構は、前車軸６を支持する左右一対のフロントアーム１０と、左右一対の上側リンク部材２１及び左右一対の下側リンク部材２２から構成される平行リンク機構１１と、前輪５の上下方向の揺動を抑制する前輪用のサスペンション機構１２と、を備えている。前車軸６は、フロントアーム１０の前端部に、前後方向に延びるボルト２９（図３）により固定されている。
【００２２】
［フロントアーム１０の構成］
図２において、フロントアーム１０は、前車軸支持部分から概ね後上方に延びている。フロントアーム１０の後端部１０ａは、前輪５の後端縁より後方に位置すると共にフロントアーム１０の本体部に対してL字状に下方に折れ曲がっている。該実施の形態では、後端部１０ａは、フロントアーム１０の本体部とは別体に形成され、フロントアーム１０の本体部の後端に固着された構造であるが、本発明においては、後端部１０ａをフロントアーム１０の本体部と一体成形することも可能である。いずれの形成方法にしても、該実施の形態では、フロントアーム１０は、後端部１０ａを含めて側面視でＬ字状に形成され、かつ、剛性メンバーとして形成されている。
【００２３】
前車軸６の軸芯Ｃ０と、フロントアーム後端部１０ａと上側リンク部材２１の前側支点Ｃ１とを結ぶ軸線Ｌ０が、水平線に対して、後上がり状に傾斜するように、フロントアーム１０が形成されている。すなわち、フロントアーム１０の本体部は、後方に進むにつれて上方にくるように傾斜した状態となっており、フロントアーム１０の軸線Ｌ０と水平線とのなす角度が、４５度よりも小さくなるように設定されている。また、フロントアーム１０は、リンク部材２１，２２よりも前後方向に長く形成されている。
【００２４】
自動二輪車の平面図を示す図１において、フロントアーム１０は、前輪の操舵角を考慮慮して、後方に向かうに連れて車幅方向外側に傾斜して形成されている。詳細には、フロントアーム１０は、後方に向かうにつれて車幅方向外側に傾斜した傾斜部分と、該傾斜部分の後端に接続されて前後方向に延びる平面と平行に延びる平行部分とを有しており、後部の平行部分は、車輪後端よりも後方まで延びている。
【００２５】
図３は、自動二輪車の前面図であり、左右一対のフロントアーム１０の後端部１０ａは、前輪５の後方で、左右方向に延びるクロス部１０ｃによって連結されている。これによって、フロントアーム１０の剛性を向上させている。さらに、フロントアーム１０の断面形状は、上下方向に長い略矩形形状に形成されており、これにより、高剛性となる形状となっている。また、クロス部１０ｃと左右のフロントアーム１０との接続部分には、三角形状の補強板４０が一体に設けられており、これにより、左右のフロントアーム１０の剛性を、さらに、高く維持している。
【００２６】
［リンク機構１１の構成］
図２において、フロントアーム１０の後端部１０ａの上下端部には、前側支点ピン２１ａ、２２ａを介して上側リンク部材２１及び下側リンク部材２２の前端部がそれぞれピン軸まわりに回動自在に連結されている。上側リンク部材２１と下側リンク部材２２とは、互いに略平行に後方に延びており、上側リンク部材２１の後端部と下側リンク部材２２の後端部は、後側支点ピン２１ｂ、２２ｂを介して、リンク支持ブラケット２５にピン軸まわりに回動自在に連結されている。リンク支持ブラケット２５は、ダウンチューブ３の前面にボルト２６により着脱自在に固着されている。左右一対の平行リンク機構１１は、車幅方向に一定の間隔を保つ平行状態で、略直線状に後方に延びている。
【００２７】
上側リンク部材２１の前後の支点Ｃ１，Ｃ２間のピッチと、下側リンク部材２２の前後の支点Ｃ３，Ｃ４間のピッチと、はほぼ同一であり、上側リンク部材２１と下側リンク部材２２とは、前述のように、略平行に配置されている。ただし、厳密には、下側リンク部材２２が略水平に配置されているのに対し、上側リンク部材２１は僅かに後方が下がるように配置されている。言い換えると、上側リンク部材２１の前側支点Ｃ１と下側リンク部材２２の前側支点Ｃ３との上下方向間のピッチに対し、上側リンク部材２１の後側支点Ｃ２と下側リンク部材２２の後側支点Ｃ４との上下方向間のピッチが、若干短くなっている。これにより、上側の前後の支点Ｃ１，Ｃ２を結ぶ線Ｌ１と、下側の前後の支点Ｃ３，Ｃ４を結ぶ線Ｌ２とは、後方の交点Ｃ５で交差することになる。したがって、前輪５及び前車軸６は、交点Ｃ５を支点として、上下方向に揺動することになる。また、前車軸６の上下方向の位置は、非乗車状態において、平行リンク機構１１の下側支点ピン２２ａ、２２ｂと略同一高さに位置している。
【００２８】
また、前車軸６６の軸芯Ｃ０と、上側リンク部材２１の前側支点Ｃ１と、上側リンク部材２１の後側支点Ｃ２と、を結ぶ線（Ｌ０−Ｌ１)は、上状に突出する山形状となっている。フロントアーム１０と上下のリンク部材２１，２２とが互いに角変位可能にリンク接続されることで、フロントアーム１０が上下リンク部材２１，２２と共に上下方向に揺動可能となっている。
【００２９】
上下のリンク部材２１，２２は、前述のように前後方向にほぼ平行に延びており、また、上側リンク部材２１は、下側リンク部材２２に比べて、圧縮方向の剛性が大きくなるように形成されている。具体的には、上側リンク部材２１の軸線Ｌ１に垂直な断面形状が、下側リンク部材２２の軸線Ｌ２に垂直な断面形状に比べて、大きな面積に形成されている。しかも、上側リンク部材２１は、下側リンク部材２２に比べて、フロントアーム１０の軸線Ｌ０の延長線に近い領域に配置される。このようにして上側リンク部材２１は、フロントアーム１０からリンク支持ブラケット２５へ路面からの抵抗力（圧縮力）を伝えるのに十分な形状に形成される。
【００３０】
自動二輪車の斜視図である図４において、リンク支持ブラケット２５は、上下方向に延びて上下のリンク部材２１，２２を接続する左右一対のレール部材２５ａと、車幅方向に延びて両レール部材２５ａを連結する連結部材２５ｂとを含んでいる。また、リンク支持ブラケット２５の上下端部が、車体レームＦのダウンチューブ３の上下端部にそれぞれ接続されている。
【００３１】
上下のリンク部材２１，２２の構造及びの前後端部の接続構造を、詳しく説明する。
【００３２】
図４において、平行リンク機構１１の下側リンク部材２２の車幅方向の間隔は、上側リンク部材２２の車幅方向の間隔よりも、狭くなっている。言い換えると、各下側リンク部材２２は、対応する各上側リンク部材２１よりも車幅方向の内側に位置している。
【００３３】
上下のリンク部材２１，２２とフロントアーム１０との接続は、平面視でＵ字状に形成された上側リンク部材２１の前端部が、フロントアーム１０の後端部を、車幅方向の両側から覆い、それらを左右方向に貫通する貫通孔に支点ピン２１ａを挿入することにより、回動自在に接続されている。このように、フロントアーム１０を車幅方向の両側から上側リンク部材２１で覆うことにより、一対のフロントアーム１０の内側に位置する上側リンク部材２１の内側部分を、クロスメンバー３９により連結することができる。なお、フロントアーム１０の後端部を、平面視でＵ字状として上側リンク部材２１の車幅方向両側を覆う構成とすることもできる。
【００３４】
同様に、リンク部材２１，２２とリンク支持ブラケット２５との接続は、該実施の形態では、平面視でＵ字状に形成された上側リンク部材２１の後端部が、リンク支持ブラケット２５の上端部を、車幅方向の両側から覆い、それらを左右方向に貫通する貫通孔にピン２１ｂを挿入することにより、回動自在に接続されている。勿論、リンク支持ブラケット２５の上端部をＵ字状として、上側リンク部材２１に車幅方向両側を覆う構成とすることもできる。
【００３５】
図５は、左右の一方の上側リンク部材２１の平面図であり、上側リンク部材２１は平面視でＨ状に形成されている。既に説明しているが、上側リンク部材２１の二股状の前端部は、フロントアーム１０の後端部１０ａを左右から挟み、上側の前側支点ピン２１ａにより回動自在に結合されている。同様に、上側リンク部材２１の二股状の後端部は、リンク支持ブラケット２５を左右から挟み、上側の後側支点ピン２２ｂにより回動自在に結合されている。
【００３６】
図６は、左右の一方の下側リンク部材２２の平面図であり、下側リンク部材２２は平面視でＩ状に形成されており、下側リンク部材２２の前端部は、フロントアーム１０の二股状の後端部１０ａにより左右から挟まれ、下側の前側支点ピン２２ａにより回動自在に結合されている。同様に、下側リンク部材２２の後端部は、二股状のリンク支持ブラケット２５により左右から挟まれ、下側の後側支点ピン２２ｂにより回動自在に結合されている。
【００３７】
［サスペンション機構１２の構成］
図４において、サスペンション機構１２は、フレームＦに固定されて車幅方向に沿って延びる断面Ｕ字状の支持ブラケット３１と、該支持ブラケット３１の車幅方向の両端部に回動自在支持された左右一対のベルクランク部材（連結部材）３２と、支持ブラケット３１の上方近傍位置に車幅方向に沿って配置されたダンパー部材３３と、各ベルクランク部材３２の下端部と各フロントアーム１０の後端部１０ａの上面とを連結する左右一対のタイロッド３４と、を備えている。
【００３８】
図２において、本実施形態では、フロントアーム１０は、前車軸６の軸心Ｃ０と前側支点Ｃ１とを結ぶ線Ｌ０と、上側リンク部材２１の前側支点Ｃ１とタイロッド３４の下端連結軸３４ｂと、を結ぶ線とが、屈曲するように配置されている。前車軸６、前側支点Ｃ１及びタイロッド３４の下端連結軸３４ｂは、左右方向に延びている。したがって、各軸又は支点の位置を適宜設定することで、レバー比を調整できる。
【００３９】
支持ブラケット３１は、側面視で、フロントアーム１０の後端部１０ａの略直上に位置しており、支持ブラケット３１の後面には取付台３５が一体に固着され、この取付台３５は、車体フレームＦのマウント部２ｂの前端部に溶接により固着され、あるいは、ボルト等により着脱自在に固着されている。
【００４０】
ダンパー部材３３は、コイルばねと油圧ダンパー（油圧シリンダー）とを組みあわせてなるコイルオーバーユニットであり、前述の支持ブラケット３１と共に、フロントアーム１０の後端部１０ａの略直上に配置されている。具体的には、フロントアーム１０の上面と、ヘッドパイプ１の下面との間の空間であって、フロントアーム１０の後端部１０ａの略直上に位置し、かつ、ヘッドパイプ１及び操舵軸８より後方に位置している。
【００４１】
図３において、ダンパー部材３３は、左右のメインフレーム部材２の車幅方向外縁よりも車幅方向内側に収まる長さに設定されている。また、ダンパー部材３３は、エンジンの排気ポートおよび排気管よりも前方かつ上方に配置されている。これにより、排気系で発生した熱によってダンパーが熱せられるのを防ぐことができる。
【００４２】
左右の各ベルクランク部材３２は、回動支点Ｃ６から上方に突出する上側アーム部３２ａと、斜め下方に突出する下側アーム部３２ｂと、を有しており、回動支点Ｃ６まわりに角変位可能に支持されている。前記上側アーム部３２ａの上端部には出力軸が設定され、上側アーム部３２ａは、出力軸まわりに角変位可能にダンパー部材３３の両端作動部に接続されている。一方、下側アーム部３２ｂには入力軸が設定され、下側アーム部３２ｂは、前記入力軸をまわりに角変位可能にタイロッド３４の上端部に接続されている。
【００４３】
本実施形態では、ベルクランク部材３２は、その名の通り、上側アーム部３２ａの出力軸と回動支点Ｃ６とを結ぶ線と、下側アーム部３２の入力軸と回動支軸とを結ぶ線とが、屈曲するように形成されている。回動支点Ｃ６、下側の前記入力軸、及び上側の前記出力軸は、いずれも前後方向に延びるように配置されている。
【００４４】
両ベルクランク部材３２の支点Ｃ６回りの回動により、ダンパー部材３３が車幅方向（ダンパー部材長さ方向）に弾性的に伸縮する。ベルクランク部材３２の回動支点Ｃ６、上下のアーム部３２ａ、３２ｂの出力軸及び入力軸の位置を適宜設定することで、フロントアーム１０の変位に対するダンパー部材３３の入力端の変位比であるレバー比を調整できる。
【００４５】
ベルクランク部材３２の入力側の下端部（入力軸）は、ベルクランク部材３２の回動支点Ｃ６よりも車幅方向の外方であって、かつ、ダンパー部材３３の車幅方向の端縁よりも外方に位置している。
【００４６】
図４において、ベルクランク部材３２の出力側の上側アーム部３２ａは、二股状の壁部
によって構成され、該二股状の壁部間に、ダンパー部材３３の車幅方向の端部を挟んだ状態で、ダンパー部材３３に連結されている。
【００４７】
リザーブタンク３３ａは、ダンパー部材３３の前側かつ上方に位置し、ダンパー部材３３と略平行に配置され、ダンパー部材３３の本体部分に取り付けられている。
【００４８】
各タイロッド３４の上端部は、ボール継手（ピローボール）を介してベルクランク部材３２の下端部に回動自在に連結され、タイロッド３４の下端部は、ボール継手を介してフロントアーム１０の後端部１０ａの上面に回動自在に連結されている。すなわち、図２のように、タイロッド３４は、フロントアーム１０の後端部１０ａに、車幅方向に延びる連結軸３４ｂの軸芯まわりに角変位可能に接続されている。
【００４９】
両タイロッド３４は水平面に対して略垂直に配置されている。また、各タイロッド３４は、所謂ターンバックルのように、ねじ構造により、個々に長さを調節することが可能である。
【００５０】
本実施の形態では、フロントアーム１０の後端部１０ａとタイロッド３４の下端との連結軸３４ｂの向き（車幅方向）と、ベルクランク部材３２の下側アーム部３２ｂの入力軸の向き（前後方向）が異なり、かつ、それらの移動方向も異なることから、前述のように、タイロッド３４の上下端部は、フロントアーム１０およびベルクランク部材３２の両方に対して、ボール継手を介して接続されており、それにより動力伝達可能となっている。
【００５１】
ステアリング機構を説明する。図４において、前輪５は、いわゆるハブステアリング機構により、前車軸６に対して左右に操舵可能かつ回転可能に支持されている。一般的なハブステアリング機構は周知であるが、簡単に説明しておくと、図２において、前車軸６には、前車軸６と直角で、ハンドル側操舵軸８の軸芯Ｏ１とほぼ平行、あるいは一致する軸芯Ｏ２を有する車輪側操舵軸（図示せず）が固着されている。この車輪側操舵軸に、左右に操舵可能にハブ支持筒軸４４が支持されており、該ハブ支持筒軸４４の外周に、軸受４５を介して前輪５のハブ５ａが回転自在に支持されている。すなわち、前輪５は、前車軸６に対してハブ支持筒軸４４と共に左右に操舵可能であって、ハブ支軸筒軸４４に対して回転する構成となっている。
【００５２】
図４において、ハブ支持筒軸４４の左右端部には操舵用のワイヤ連結部４７が設けられており、該ワイヤ連結部４７と、ハンドル側操舵軸８と一体的に左右に操舵されるハンドル側ブラケット４８との間に、操舵ワイヤ４９が装着されている。すなわち、ハンドル５０の左右方向の操舵により、操舵ワイヤ４９を介してハブ支筒軸４４及び前輪５が左右に操舵される。
【００５３】
なお、図２では、操舵ワイヤ４９の車輪側の端部の連結構造は、省略してある。
【００５４】
作動を説明する。図２において、凹凸状の路面を走行する場合、前輪５、前車軸６及びフロントアーム１０は、平行リンク機構１１の前端部の上下揺動と共に、上下方向に揺動する。具体的には、上側リンク部材２１の前後の支点Ｃ１，Ｃ２を結ぶ直線Ｌ１と、下側リンク部材２２の前後の支点Ｃ３，Ｃ４を結ぶ直線Ｌ２との交点Ｃ５が揺動中心となり、前輪５及びフロントアーム１０の前端部は上下方向に揺動する。
【００５５】
図３において、前輪５の上下方向の揺動は、左右のフロントアーム１０の後端部１０ａから、左右のタイロッド３４を介して左右のベルクランク部材３２に伝達され、ベルクランク部材３２が支点Ｃ６回りに矢印Ａ１方向に回動することにより、ダンパー部材３３を車幅方向に圧縮し、前輪５の上下方向の揺動を抑制する。
【００５６】
図２において、ブレーキング時においては、路面から前輪５に対して後方に向けて抵抗力（反力）が作用する。このブレーキング時の路面抵抗力のほとんどは、フロントアーム１０に対し、フロントアーム１０の長さ方向（略前後方向）の圧縮荷重として作用し、フロントアーム１０から、平行リンク機構１１を介して車体フレームＦに伝達され、そして、車体フレームＦは略前後方向の荷重として路面抵抗力を受け止める。したがって、フロントフォーク方式のように、ブレーキング時における大きなフロントダイブ現象は生じない。
【００５７】
ブレーキング時において、フロントアーム１０等にかかる力関係を詳しく説明する。図２において、実際には、路面抵抗力は、前車軸６の軸芯Ｃ０と前述の後方の仮想交点Ｃ５とを結ぶ線と平行に、後方に向けてかかる分力と、フロントアーム１０を車体フレームＦに対して上方に押し上げ、あるいは下方に押し下げる分力とに分けることができる。この上方向又は下方向の分力は、仮想交点Ｃ５が路面より上方に設定されている場合には、フロントアーム１０を下方に下げる力となる。すなわち、フロントアーム１０をヘッドパイプ１から離れる方向に動かす分力となる。前記路面からの抵抗力の大部分は、前車軸６の軸芯Ｃ０と仮想交点Ｃ５とを結ぶ線と平行にかかる分力となるので、この分力は、フロントアーム１０によって、その軸線Ｌ０に沿った圧縮力として受け止められ、最終的に、車体フレームＦに対する後方への力として受け止められる。これにより、フロンダイブが抑制される。
【００５８】
また、ブレーキング時には、前記路面抵抗力とは別に、車体フレームＦに慣性力が働き、この慣性力は、車体フレームＦを前車輪６側に近付ける力として働くが、前述のように、仮想交点Ｃ５が路面よりも上方に設定されているので、前車輪６を下方に下げようとする路面抵抗力の分力によって、減衰（相殺）され、これによって、慣性力に起因する車体フレームＦのフロントダイブ現象も抑制される。
【００５９】
各種調整について説明する。左右のタイロッド３４の長さを同時に調節することにより、自動二輪車の車高を調節することができ、また、左右のタイロッド３４を個々に長さ調節することにより、前輪５の左右の傾きを修正することができる。
【００６０】
また、フロントダイブの影響が少ないので、フロントダイブ防止のために、必要以上にサスペンション機構１２のばね力及びダンパー力を硬くする必要がなく、乗り心地に適合するように、サスペンション機構の特性を設定できる。
【００６１】
また、ベルクランク部材３２の各連結位置を変更することにより、ベルクランク部材におけるレバー非も、適宜変更可能である。
【００６２】
［実施形態による効果］
（１）図２において、ダンパー部材３３を車幅方向に沿って配置しているので、車輌の前後方向の寸法をコンパクトにできる。さらに、ダンパー部材３３の配置位置を、側面視で、ヘッドパイプ１とフロントアーム１０との上下方向間の空間内としているので、ダンパー部材３３とフロントアーム１０との距離を短く保つことができ、前輪の上下方向の移動に対するダンパー部材３３の応答性を向上させることができる。
【００６３】
（２）ダンパー部材３３を、ヘッドパイプ１とフロントアーム１０との上下方向間の空間内に配置しているので、走行中に飛ばされる小石などがダンパー部材３３に当たり難くなる。また、車輌の重心が必要以上に低くならず、大きなバンク角を確保できる。
【００６４】
（３）ダンパー部材３３は、前輪５の後端及びヘッドパイプ１よりも後方に配置されており、これにより、ダンパー部材３３とフロントアーム１０との距離をさらに短く保ち、ダンパー部材３３の応答性をさらに向上させることができる。
【００６５】
（４）フロントアーム１０の後端部１０ａを車体フレームＦに支持する平行リンク機構１１を備え、ベルクランク部材３２は、フロントアーム１０の後端部１０ａに連結されているので、ブレーキング時において、リンク部材２１，２２にかかる荷重が軽減され、リンク部材を細くでき、軽量化を達成できる。
【００６６】
（５）フロントアーム１０及びベルクランク部材３２は、それぞれ左右一対配置され、左右のベルクランク部材３２は、ダンパー部材３３の左右の端部にそれぞれ連結されているので、左右一対のフロントアーム１０の左右を略均等に支持できると共に、フロントアーム１０の剛性が向上し、ねじれを防止できる。
【００６７】
（６）ベルクランク部材３２の入力端部は、ダンパー部材３３の車幅方向両端よりも車幅方向外方に位置しているので、フロントアーム１０からダンパー部材３３までの距離を短くできる一方、ベルクランク部材３２は、他の部材に干渉することなく、作動することができ、フロントアーム１０の揺動ストロークを確保し易くなる。
【００６８】
（７）ベルクランク部材３２とフロントアーム１０の後端部１０ａとは、略垂直なタイロッド３４により連結されているので、フロントアーム１０の揺動時、フロントアーム１０と、ダンパー部材３３及びバルクランク部材３２とが干渉することを、防ぐことができる。
【００６９】
（８）図２において、ダンパー部材３３は、エンジンＥの前面の排気ポートよりも上方に位置しており、これにより、排気パイプとダンパー部材３３との干渉を防ぐことができる。
【００７０】
（９）図３において、ベルクランク部材３２の入力側の端部（下端部）が、ベルクランク部材３２の回動支点Ｃ６及び出力側の端部（上端部）よりも車幅方向の外方に位置し、さらに、ダンパー部材３３の車幅方向の端縁よりも外方に位置しているので、車輌のバンク旋回時において、ベルクランク部材３２の入力側の端部が他の部材に干渉するのを、簡単に防ぐことができる。
【００７１】
具体的には、前輪５がフロントアーム１０の揺動支点（Ｃ５）に対して上方に移動する時（車体が沈み込む時）に、ベルクランク部材３２の下端部は、車幅方向の外方に膨らむように矢印Ａ１方向に回動するので、車体が沈み込んだ状態で車体をバンク旋回する場合でも、ベルクランク部材３２が車体上方に位置していることにより、ベルクランプ部材３２の入力側の端部（下端部）が、路面に接触することを防ぐことができる。
【００７２】
（１０）図４において、ベルクランク部材３２の上端部は、上方に突出する二股状の壁部３２ａによって構成され、該二股状の壁部３２ａ間に、ダンパー部材３３の車幅方向の端部を挟んだ状態で連結されているので、ダンパー部材３３の伸縮時に、ベルクランク部材３２とダンパー部材３３との干渉を防ぐことができる。
【００７３】
（１１）ダンパー部材３３のリザーブタンク３３ａが、ダンパー部材３３と平行でダンパー部材３３の前側上方に配置されているので、省スペース化を達成できる。
【００７４】
（１２）ダンパー部材３３が車体フレームＦに固定支持されており、ハンドル操作時に、操舵軸８とともに角変位することがないので、ダンパー部材３３が操舵軸８とともに角変位する構造に比べ、操舵操作に必要な運転者の力を低減することができる。
【００７５】
（１３）フロントアーム１０のうち、サスペンション機構１２に連結される連結部、すなわちタイロッド３４の下端部が、ヘッドパイプ１よりも後方に配置されているので、フロントアーム１０とサスペンション機構１２との距離を短くできる。特に、フロントアーム１０の後端部１０ａにタイロッド３４が連結されることで、ダンパー部材３３とフロントアーム１０との距離をさらに短くすることができる。
【００７６】
（１４）タイロッド３４は、フロントアーム１０の非揺動時に、略鉛直に延びているので、フロントアーム１０の揺動時にタイロッド３４が車幅方向に変位する量を減らすことができる。たとえばフロントアーム１０の非揺動時にタイロッド３４が上方に向かうにつれて車幅方向内側に傾斜配置されることで、フロントアーム１０が最も変位した状態で、タイロッド３４が車幅方向外側に向かう量を抑えることができる。
【００７７】
（１５）左右一対の上側リンク部材２１は、車幅方向に延びるクロスメンバー３９によって接続されているので、剛性を向上でき、左右同じ動きをさせることができる。
【００７８】
（１６）クロスメンバー３９が配置される部分で、上側リンク部材２１およびサスペンション機構１２が接続されることで、剛性低下を防ぐことができる。
【００７９】
（１７）左右一対の上側リンク部材２１は、車幅方向に延びるクロスメンバー３９によって接続され、かつ、フロントアーム１０の後端部がクロス部１０ｃで接続されているので、左右のタイロッド３４の変位を均等に保つことができ、フロントアーム１０の揺動時に、ダンパー部材３３が傾くのを防止できる。
【００８０】
（１８）リザーブタンク３３ａがダンパー部材３３の前方に配置されるので、ダンパー部材３３を車体フレームＦに近づけることができ、マス集中化を図ることができる。
【００８１】
（１９）図２において、ブレーキング時、前輪５のタイヤは、路面から車体後方に向かう抵抗力（反力）を受けるが、前述のように、この抵抗力は、フロントアーム１０を軸線方向に圧縮する分力と、フロントアーム１０を下方に動かすほぼ垂直な分力とに分かれる。該実施の形態では、フロントアーム１０がほぼ前後方向に延びているので、路面からの前記抵抗力のほとんどは、フロントアーム１０の軸線Ｌ０の方向に後方に働く分力となり、最終的に、ブレーキング時には、車体フレームＦには、前方から後方に向かう力が働くことになる。したがって、ブレーキング時に、路面からの抵抗力のほとんどが上下方向に作用するフロントフォーク式の従来構造に比べて、フロントアーム１０を最終的に支持する車体フレームＦの剛性を低くすることができ、軽量化を図ることができる。
【００８２】
（２０）フロントサスペンション機構１２によりフロントアーム１０の回動が抑制される構造であるので、リンク部材の回動が抑制される構造に比べて、リンク部材２１，２２にかかる曲げ方向の力を低減することができ、リンク部材２１，２２の剛性を低くすることができ、軽量化を図ることができる。
【００８３】
（２１）フロントアーム１０とリンク部材２１、２２との連結位置が、前輪の後端よりも後方に配置されているので、フロントアーム１０の回動抑制のためのフロントサスペンション機構１２の位置をできるだけ後方にずらすことができ、重心の集中化を図ることができる。また、フロントアーム１０とリンク部材２１、２２との連結位置が、前輪５の後端よりも後方に配置されていることにより、前輪操舵のために、リンク部材２１，２２を湾曲形状に形成する必要がなく、複数本必要なリンク部材２１，２２の構造を直線形状に単純化することができる。
【００８４】
（２２）路面からの抵抗力のほとんどがフロントアーム１０の軸線Ｌ０の方向であるので、車体前部が下方に沈み込むフロントダイブを防止するためにフロントサスペンション機構１２のばね力、ダンパー力を大きくする必要がない。すなわちフロントダイブの影響が小さく、乗り心地を向上するために特化してばね力、ダンパー力を設定することができる。
【００８５】
（２３）フロントサスペンション機構１２は、フロントアーム１０の後端部を弾性的に支持しているので、リンク部材２１，２２にかかる荷重が軽減され、リンク部材２１，２２の剛性を抑えて、車輌を軽量化になる。すなわち、フロントアーム１０の後端部を弾性的に支持することで、フロントサスペンション機構１２の本体を車体中心に近づけたり、あるいは、フロントサスペンション機構１２の本体からフロントアーム１０にわたって配置される緩衝機構を小型化したりすることができ、構造を単純化することができる。
【００８６】
（２４）前車軸６の軸芯Ｃ０と、フロントアーム１０と上側リンク部材２１との回動連結点Ｃ２とを結ぶ軸線Ｌ０が、水平線に対して上方突出状に傾斜しているので、衝突時のエネルギーを、フロントサスペンション機構１２で吸収できる。たとえば、前輪に障害物が前方から衝突すると、フロントアーム１０が傾斜することで、衝突力がフロントアーム１０の軸線Ｌ０方向と、軸方向に直交する方向に分かれる。この場合、軸方向に直交する力がフロントサスペンション機構１２によって衝撃吸収されることで、衝突時の衝撃を抑えることができる。また軸線Ｌ０方向の力は、圧縮荷重として車体に伝わることで曲げ荷重が生じる場合に比べて衝撃に対する抵抗を高めることができる。
【００８７】
（２５）左右一対の下側リンク部材２２が、左右一対の上側リンク部材２１よりも、車幅方向の内側に配置されているので、下側リンク部材２２の左右の張り出しを小さくし、バンク角度を大きく採ることができる。
【００８８】
（２６）フロントアーム１０の後端部１０ａに、フロントサスペンション機構１２のタイロッド３４を連結しているので、前輪５の上下方向の揺動を、平行リンク機構１１を介さずに、フロントサスペンション機構１２で吸収することができる。これにより、平行リンク機構１１には上下方向に大きな荷重がかからず、リンク部材２１，２２を軽量化することができる。
［他の実施の形態］
【００８９】
（１）リンク機構１１を有さずに、フロントアーム１０が、直接、車体フレームＦに支持されている自動二輪車にも適用可能である。
【００９０】
（２）前記実施の形態では、平行リンク機構１１は、車体フレームＦのダウンチューブ３に設けられた支持ブラケット２５に取り付けられているが、メインフレームＦに支持されるエンジンＥの前端部に、直接、平行リンク機構１１の後端部を支持する構造とすることもできる。
【００９１】
（３）操舵ワイヤを利用した操舵装置を備えた車輌には限定されず、たとえば、ハンドル側操舵軸と車輪側操舵軸との間を、上下方向に折り畳み可能なリンク機構により連結する  構造や、他の構造とすることも可能である。具体的には、操舵軸から角変位可能に接続される複数のリンク部材で構成されたリンク機構を介して、旋回に必要な力をハンドルからハブ支持筒軸に伝達する構成でもよい。
【００９２】
（４）図７はフロントアーム１０の変形例であり、フロントアーム１０は、側面視で、後方に向かって上下方向の幅が広くなるように形成されており、幅広の後端部１０ａに、上下のリンク部材２１，２２の前端部を回動自在に連結している。また、別の変形例として、フロントアーム１０の後端部１０ａを、側面視で、上下方向に突出するＴ字状に形成してもよい。
【００９３】
（５）フロントアーム１０は、前記変形例の他に、たとえば、側面視で、フロントアーム１０の後端部１０ａが、上方に延びるようにＬ字状に形成することもできる。
【００９４】
（６）前記実施の形態では、平行リンク機構１１は、車体フレームＦのダウンチューブ３に取り付けられているが、車体フレームＦに支持されるエンジンの前端部に、直接、平行リンク機構１１の後端部を支持する構造とすることもできる。
【００９５】
（７）フロントアーム１０の前車軸６の軸芯Ｃ０と、フロントアーム１０とリンク機構１１との回動連結点（Ｃ１）とを結ぶ線は、水平線に対して後下がりに形成されてもよい。また前車軸、前側回動連結点及び後側回動連結点を結ぶ線が下方に凸となる山形状に形成されてもよい。
【００９６】
（８）エンジン等のパワーユニットのケースに、各リンク部材を支持するリンク支持ブラケットが固定されてもよい。これによってパワーユニットケースのうち、リンク接続部分の剛性を過剰とする必要がなく、設計の自由度を高めることができる。
【００９７】
（９）前記実施の形態では、左右一対のフロントアーム及びリンク部材を備えているが、左右のうちいずれか一方のみに、フロントアーム及びリンク部材を備える構造とすることもできる。
【００９８】
（１０）ハンドル側操舵軸８の軸芯Ｏ１と車輪側操舵軸の軸芯Ｏ２は、必ずしも一致していなくともよい。ハンドル側操舵軸８の軸芯Ｏ１と車輪側操舵軸の軸芯Ｏ２とを、たとえば前後方向にずらすことにより、フロントまわりをすっきりと簡素化でき、また、ヘッドパイプ１を軽量化できる。
【００９９】
（１１）本発明は、自動二輪車には限定されず、ハンドル支持部分とフロントアームとの間にダンパー部材が配置されればよく、自動二輪車以外の車輌にも適用可能である。たとえば前後にそれぞれ車輪を備える車輌、たとえば３輪以上の車輪を備える鞍乗り型車輌にも適用可能である。特に、車体を傾斜させて旋回する車輌に好適に用いることができる。
【０１００】
（１２）前輪が巻き上げた泥水等がサスペンション機構に向かうのを防ぐために前輪とサスペンション機構との間に泥除け部材を介在させてもよい。
【０１０１】
（１３）連結部材は、フロントアームの上下方向揺動を、ダンパー入力端部への左右方向の移動に変換する構造であればよく、他の構造が採用されてもよい。たとえばダンパー入力部の両端ではなく、一端部のみとして力が入力されてもよい。
【０１０２】
（１４）支点配置を適宜設定して、フロントアームが非揺動状態から上方に変位した場合に、ダンパー部材に引張り力が加わり、下方に変位した場合にはダンパー部材に圧縮力が加わるように設定してもよい。
【符号の説明】
【０１０３】
Ｆ  車体フレーム
１  ヘッドパイプ
５  前輪
６  前車軸
１０  フロントアーム
１０ａ  後端部
１１  平行リンク機構
１２  前輪用のサスペンション機構
３１  支持ブラケット
３２  ベルクランク部材（連結部材）
３３  ダンパー部材
３４  タイロッド
【図１】
2014117977.tif 000003
【図２】
2014117977.tif 000004
【図３】
2014117977.tif 000005
【図４】
2014117977.tif 000006
【図５】
2014117977.tif 000007
【図６】
2014117977.tif 000008